(57)【要約】【課題】継ぎ目が見えない手摺は心材に合成樹脂を被せて一体化させているが、複雑な形状からなるアルミの心材に、硬くなった合成樹脂を火傷と火災の危険を感じながら高温で柔らかくして被せる作業が行われていた。心材は複雑な形状のため曲がり部分を作業現場で作成することが難しく、材料のコストと作業費用の両面から高価なものとなっている。【解決手段】心材部分に鉄のように安く強く手動曲げ具で曲げれる太さの金属のパイプを使用し、また、手で曲げれるようにホースやパイプ状の中に金属棒を挿入して好みの形状を作成しホースの中に流動性合成樹脂を流し込み、曲がり部分を作成する。曲がり部分と直棒部分を連結し必要であれば太さ調整用のスペーサーを被せて熱収縮性合成樹脂を通したり、結合部を有する樹脂を被せたりしてずれ防止を施して素材の安全保護対策用具の製作が可能となる。【選択図】図１
2006169932.tif 000002
【特許請求の範囲】
【請求項１】
パイプによる自由な曲がりを含んだ一体化された掴まり具。
【請求項２】
熱収縮合成樹脂に熱水蒸気を当てて収縮させる加熱収縮装置。
【請求項３】
掴まり具を建造物に取り付ける器具に心材の円周と同じカーブを心材への取り付け面に有する取りつけ具。
【請求項４】
ホースに挿入された金属棒と注入性合成樹脂による曲げ加工工法
【請求項５】
素材に皮服された合成樹脂を取り付け具のビス止め用に、樹脂部分の一部を窓状に開ける電熱装置。
【請求項６】
結合部を有する被せ合成樹脂
【発明の詳細な説明】
【技術分野】
【００１】本発明は人体への危険防止や、優しさを得る為に金属のような硬い素材に樹脂を被せて使用するもので，スポーツ器具、遊具，手摺などに使用される。
【背景技術】
【００２】建築物の階段手摺は木製や金属製が有るが、美的問題や寒冷地での冷寒付着、腐食、作業の仕上がり問題で合成樹脂を手摺表部に使用しているものが主流となっているが、材料、作業工法に問題を抱え高価な物になっている。【００３】この合成樹脂の手摺は押し出し成形で作成された特殊形状のアルミの心材が使用され、高価でかつ階段の踊り場で必要になる曲がり部分の心材の曲げる作業が現場で行うことが困難であり、作業現場から離れた工場で特殊工具と技法により曲がり部分だけを作成され、現地で組み立てられているが、コンクリートの仕上がり誤差や製作ミスで現地で組み立てができないロスが発生する場合もあり、この作業コストがかかり、かつアルミの押出し成形されている心材のコストも高価なものになっている。【００４】心材に被服する合成樹脂は常温では金属のように硬くそのままでは心材に上部外側から装着することができず、高温沸騰の温水に入れて暖めて軟化させるか，プロパンガスのバーナーの炎を全開にして発煙直前まで暖めてから心材に装着しており、この作業は火傷や火災の危険性があり、かつ高度の経験が必要であり誰でも簡単にできる作業ではなかった。
【発明が解決しようとする課題】
【００５】従来の手摺のステンレスのような金属や木製のもの、それにアルミの押出し成形の心材は、階段の踊り場での複雑な曲がり部分での作業が難かしいので、この手摺りの曲がり部分を大規模な機械を使用したり熟練技術を必要とせずに正確に短時間で取り付け現場で簡単に作業をできるように解決しなけれならない。
【００６】手摺の曲がり部分を継ぎ目無しで作成するには合成樹脂で皮服するのが良いが、従来のような合成樹脂を湯やガスの炎で温めるような危険で経験を要する方法であってはならないし心材にホース状の物を通すと曲がり部分で通過できなくなりこれを克服して自由な曲がり部分を含んだ一本に連結した掴まり具を作成しなければならない。
【００７】金属パイプに樹脂の皮膜を施し専用接続部品で直角や直棒にする物が販売されているが、これは接続部品をパイプの外側に差し込んで接続しているので凹凸があり自由な曲がりを作成できるものではない。
【００８】熱収縮樹脂はパイプ形状であるし、通常のホース状の物を使用する場合にも素材の被服にする場合の建造物への取り付けをホースの上からでなく心材へ直接行わなければ強度が弱いし、心材のつなぎ方法も安全な方法でなければならない。
【００９】従来の外観上継ぎ部分が数十メートルにわたって見えない樹脂を被せてある手摺は心材を壁面に取り付けた後に樹脂を心材に被せているが、同じ工法を行うとすると高温で樹脂を軟化させなくても良い方法と曲がり部分を現地で容易に作成できるように解決しなければならない。
【課題を解決するための手段】
【０１０】心材を曲げやすくするには従来の複雑な形状の押出し成形をやめ、手動の曲げ具で正確でつぶれない程度の太さの金属パイプを使用して曲げ、太さを調整するスペーサーを被せて握りやすい太さの掴まり具にしても良い。
【０１１】手摺や掴まり具の直線部分に使用される太さのパイプと同じ太さで曲がり部分を作成できるとスペーサーを使用せずに済むので、使用パイプと同じ太さで曲がり部を作成するには次の方法が有る。
【０１２】心材の曲がり部分作成方法の池の方法として曲がり自由なホース形状のなかに手で自由に曲げて形状を維持できるていどの金属棒やスパイラル状の諸素材パイプを挿入し、形を決定させてから流動性液状合成樹脂を注入させて固めると強度の有る曲がり部分できるが、ホースの材質、形状についてはこだわらない。
【０１３】ビニールホースのような物を使用して中に入れた金属棒で曲がりの形状を決め、合成樹脂を流し込む方法では使用するホースの内径や外径を使い分け、あるいは固形化してからビニールホースを裂いて取り出す方法で心材になり、また塗装をするとそのまま掴まり具の曲がり部分になる。
【０１４】完成された曲げ部分と直棒部分をジョイントでつなぎ、握り易い太さを求めるために、心材に被せるある程度硬さを有し曲がり部分にしわを生じさせないスペーサーを使用させてても良い。
【０１５】樹脂を高温で軟化したり曲がり部作成に苦労せずに、従来の心材を壁面に取り付けてから樹脂を被せるのと同じ方法として多少柔らかめの樹脂で
【図５】
のような下部に結合部を有する被せ用樹脂を作成し、取り付け具の部分の樹脂はカットし、結合部に接着剤を塗ると外観状従来の物と同じものができる。
【０１６】建造物に取り付けるには皮膜されている樹脂部分を取り付け具に合わせて切り取らなければならないが、これをハンダゴテのような電熱による樹脂窓開け機具を作成すると良い。
【０１７】取り付け具の心材に固定される面は、心材がパイプ状の場合にその心材の円周の面に合わせた同じカーブ面を有するか、パイプを通せる筒を有する取り付け具を作成するとよく、ビスの頭が隠れその上に穴を隠せるる深さのビス穴を備えるとよい。
【０１８】手摺の表部にセットされた熱収縮性合成樹脂を電熱だけで熱を加えると表面にテカリムラを生じさせるので高温の蒸気を局部に当てれるような持ち歩きできる機械を製作するとよい。
【実地例】
【０１９】当考案による手摺の製作は、図面に従い現地で心材の曲げれる範囲の太さを有する金属パイプを手動の曲げ機でまげ、直線部分と連結させ太さ調整用のスペーサーを装着する方法と、ホース状の中に形状維持の金属棒を入れて希望の曲がりを手で作成してその中に流動性合成樹脂を注入し固形化させて直進部に連結させる。
【０２０】心材の外径とホースの内径が同じ物を使用して形状維持金属棒と流動性合成樹脂によって曲がり部分を作成できることは、心材のパイプと曲がり部分を塗装することで一番安価な掴まり具となり、直進部と曲がり部にホース状の樹脂を挿入して樹脂を接着することでの異なったタイプの掴まり具ができ、直心部と曲がり部を連結してからホース状熱収縮樹脂を通して収縮させるタイプ、これらの他に心材を壁面に取り付けてから結合部を有する樹脂を被せる幾つかのタイプの掴まり具を作成することができる。
【０２１】曲がり部分を容易に作成できることにより、使用場所や使用方法、価格での選択といった幾つかの掴まり具を用意することができる。
【０２２】通常のホース状の物や結合部を有する樹脂はズレや回転防止の部品を使用したり接着材を使用し、熱収縮合成樹脂の場合には熱水蒸気を発する機具で完成した部分を暖めて進んで行くと良い。
【０２３】建造物に取り付けるには被服された樹脂を、取り付け具に合わせた形状を電熱で剥ぎ取るる電熱機具で窓状に樹脂を剥がし、心材のパイプの外周と一致する面を有する取り付け具でビスによって心材に取り付け、これを建造物に固定する。
【０２４】壁面に取り付けられた心材の上から
【図５】
の形状の樹脂を被せ、結合部で樹脂の互いの端を結合させるが、被せる樹脂の形状及び結合部の形状は図の形状に限られたものではない。
【０２５】被服される樹脂を延長する接続方法は心材がしっかりさえしていれば薬品での接着でも熱による溶接接続でもよいし、被せ樹脂の結合部は材質によっては接着剤を使用しても良い。
【産業上の利用分野】
【０２６】心材がアルミの押出し成形品から金属やその他材質のパイプへ、曲がり部分の工場での特殊機械での曲げ作業から現地での一般作業員での曲げ作業へ、樹脂の沸騰湯やガスバーナー作業での危険な軟化作業から熱収縮合成樹脂に蒸気を当てるだけの軽作業、結合部を有する樹脂の採用では全体の作業が特殊作業員から一般作業員へ、といったメリットが発生されるので、材料の低価格と作業の簡素化の両面から建設業界での手摺、遊具やスポーツの器具への利用が考えられる。
【図面の簡単な説明】
【０２７】
【図１】手摺の心材、スペーサー，樹脂で構成されている断面図
【図２】曲がり部分の手曲げ工法
【図３】樹脂部を加熱する過熱機の全体図
【図４】被服樹脂部を電熱で窓形状に剥ぎ取る機具の全体図
【図５】心材と同じ曲面を有する取り付け具
【図６】結合部を有する被せ合成樹脂。
【符号の説明】
【０２８】１    階段
２    握り具直線部
３    握り部曲線部
４    取り付け具
５    階段踊り場
７    曲げ固定用金属棒
８    ジョイント部
９    メスカップ
１０  流動性合成樹脂
１１  水生ライン
１２  ビニールホース
１５  蒸気噴出し口
１６  フロート
１７  注水口
１８  予備水
１９  握り手
２０  ノズル
２１  電熱線
２２  沸騰湯
２５  曲面
２６  ビス取り付け穴
２７  壁面への取り付け穴
３０  樹脂焼ききり口
３１  握り部分
３２  電熱線
３３  電気コード
３５  被せ用樹脂
３６  結合部
【図１】
2006169932.tif 000003
【図２】
2006169932.tif 000004
【図３】
2006169932.tif 000005
【図４】
2006169932.tif 000006
【図５】
2006169932.tif 000007
【図６】
2006169932.tif 000008